(57)【要約】【課題】切れの良い味のコーヒーを味わうことができる粒径のコーヒー粉末を得ることができるコーヒーミルを提供すること。【解決手段】本考案のコーヒーミル１は、ミル本体２のモータ６が基台３のカッター９を回動させるようになっている。基台３にはカッター９を覆うようにフィルタ４が取付けられつつ、そのフィルタ４を覆うようにミル容器５が取付けられる。フィルタ４は１０〜２０メッシュの金属メッシュにより円筒状に形成されており、破砕前のコーヒー豆が貯蔵される。カッター９が回動するとコーヒー豆が破砕されてコーヒー粉末となり、そのコーヒー粉末の粒径がフィルタ４のメッシュ粗さと同程度もしくはそれ以下になったときにコーヒー粉末がフィルタ４を透過する。【選択図】図２
0003135377.tif 000002
【実用新案登録請求の範囲】
【請求項１】
ミル本体から得た駆動力により回転してコーヒー豆を破砕するカッターと、
前記カッターを覆う形状に形成されており、破砕された前記コーヒー豆をその内部に貯蔵するミル容器と、
前記カッターと前記ミル容器との間に配置されているフィルタと
を備えており、
前記フィルタは、前記カッターによって破砕されたコーヒー豆をコーヒー微粉末よりも大きな粒径で前記フィルタの外部へ透過させる大きさのメッシュ粗さに形成されている
ことを特徴とするコーヒーミル。
【請求項２】
前記フィルタは、１０〜４０メッシュのいずれか１のメッシュ粗さになっている
ことを特徴とする請求項１に記載のコーヒーミル。
【請求項３】
前記フィルタは、１０〜２０メッシュのいずれか１のメッシュ粗さになっている
ことを特徴とする請求項２に記載のコーヒーミル。
【請求項４】
前記フィルタは、丸線を交差させて得た金網を用いて形成されている
ことを特徴とする請求項１から請求項３のいずれか１項に記載のコーヒーミル。
【請求項５】
前記フィルタは、矩形状に形成された前記金網の両辺を接合することにより、上面および下面が開口した筒状もしくはコーン状に形成されている
ことを特徴とする請求項４に記載のコーヒーミル。
【請求項６】
前記フィルタの下面側周縁は、前記カッターの下方に配置された基台の表面に当接しており、
前記フィルタの上面側周縁は、前記ミル容器の内面に当接している
ことを特徴とする請求項５に記載のコーヒーミル。
【請求項７】
前記基台および前記ミル容器は、前記フィルタの下面側周縁または上面側周縁が挿入される嵌合溝を有している
ことを特徴とする請求項６に記載のコーヒーミル。
【請求項８】
前記カッターは、前記カッターの回転中心から半径方向に伸びる回転翼と、前記回転翼の端部側方から上方または下方に起立しており前記カッターの回転方向に対面する風起板とを有している
ことを特徴とする請求項１から請求項７のいずれか１項に記載のコーヒーミル。
【請求項９】
前記ミル本体は、前記カッターが前記フィルタによって覆われたことを機械的または電気的に感知してから前記カッターを回動させる安全装置を有している
ことを特徴とする請求項１から請求項８のいずれか１項に記載のコーヒーミル。
【請求項１０】
前記ミル容器は、前記ミル本体、前記ミル本体の上方において前記ミル本体と別体もしくは一体に形成された基台ならびに前記基台の上方に配置された前記カッターおよび前記フィルタを基本ユニットとして、コップ状、ボウル状、筒に蓋を被せた形状その他の前記基本ユニットの全体を覆う形状に形成されている
ことを特徴とする請求項１から請求項９のいずれか１項に記載のコーヒーミル。
【請求項１１】
前記前記基本ユニットを上方に付勢して前記フィルタの上面側周縁を前記ミル容器の内面に密着させる付勢部材を備えている
ことを特徴とする請求項１０に記載のコーヒーミル。
【請求項１２】
前記付勢部材は、前記基本ユニットを上方に付勢する弾性面と、前記弾性面を支持する支持部とを有している
ことを特徴とする請求項１１に記載のコーヒーミル。
【請求項１３】
前記付勢部材の弾性面は、金網を用いて形成されており、
前記付勢部材の支持部は、前記弾性面の対向方向が開口されていることにより前記コーヒー粉末が通過する形状に形成されている
ことを特徴とする請求項１２に記載のコーヒーミル。
【請求項１４】
前記ミル容器の端面側に形成された開口部よりも大きく形成されているとともに前記開口部の周縁に当接しており、前記ミル容器の内部に前記基本ユニットを内蔵して前記ミル容器を塞ぐ皿部材を備えている
ことを特徴とする請求項１０から請求項１３のいずれか１項に記載のコーヒーミル。
【請求項１５】
前記皿部材は、前記ミル容器を塞いだまま破砕された前記コーヒー豆を取り出す取出孔と、前記取出孔の開閉を自在にする開閉蓋とを有している
ことを特徴とする請求項１４に記載のコーヒーミル。
【請求項１６】
前記ミル容器は、その開口部の周縁を前記カッターの下方に配置された基台に螺合、嵌合または載置させて前記基台に取付けられているとともに、前記開口部の直径よりも大きく膨張している膨張部を有して形成されている
ことを特徴とする請求項１から請求項９のいずれか１項に記載のコーヒーミル。
【請求項１７】
前記ミル容器の膨張部は、前記カッターの回転中心を中心として前記カッターの半径方向に膨張して形成されている
ことを特徴とする請求項１０に記載のコーヒーミル。
【考案の詳細な説明】
【技術分野】
【０００１】
本考案は、コーヒーミルに係り、特に、一般家庭においてコーヒー豆を均一な粒径に手軽に挽くことができる家庭用のコーヒーミルに関する。
【背景技術】
【０００２】
従来の家庭用のコーヒーミル１０１Ａは、その一例として、図１１に示すように、モータ１０６を内蔵したミル本体１０２、コーヒー豆（図示せず）を破砕するカッター１０９を有する基台１０３および破砕前後のコーヒー豆を貯蔵するミル容器１０５によって形成されている。ミル本体１０２の上面１０２ｂに基台１０３が載置されると、ミル本体１０２の上面１０２ｂから露出したモータ１０６の回転軸１０６ａが基台１０３の下面１０３ｃから露出したカッター１０９の回転軸１０９ａと係合部材１０７を介して係合する。そして、基台１０３に配設されたカッター１０９を覆うように、基台１０３にミル容器１０５が着脱自在に載置される。
【０００３】
ミル容器１０５に破砕前のコーヒー豆を貯蔵してモータ１０６の回転軸１０６ａを回動させると、モータ１０６の駆動力が係合部材１０７を介してカッター１０９に伝達される。そして、モータ１０６の駆動力によって回動したカッター１０９は、ミル容器１０５内に貯蔵されたコーヒー豆を破砕する。これらの一連の動作により、コーヒー豆をコーヒー粉末にすることができる。
【０００４】
コーヒーミル１０１Ａによって得られたコーヒー粉末の粒径はコーヒーの味を大きく左右する。一般的に、５０メッシュ（１インチを５０等分して得られる粗さのメッシュ）のふるい（フィルタ）を透過する微粉状のコーヒー粉末（以下、「コーヒー微粉末」という。）の割合が全体の数％以下、好ましくは０％であると理想的なコーヒー粉末といえるため、切れのよい味のコーヒーを味わうことができる。しかし、一般家庭用として販売されている小型のコーヒーミル１０１Ａの場合、コーヒーミル１０１Ａのサイズや製造コストの問題から理想的なコーヒー粉末を得ることが難しく、コーヒー微粉末が全体の３０％以上も占めてしまうことがあるという実態があった。
【０００５】
そのため、図１１に示すように、公知のコーヒーミル１０１Ｂにおいては、４０〜５０メッシュの金属メッシュを用いて形成された円筒容器状のフィルタ１０４をミル容器１０５の内側に介在させることにより、コーヒー豆を破砕したときに発生したコーヒー微粉末をフィルタ１０４とミル容器１０５との間に貯蔵し、コーヒー微粉末以外のコーヒー粉末をフィルタ１０４の内側に貯蔵して、コーヒー微粉末のみをコーヒー粉末から取り除くことを試みていた。
【考案の開示】
【考案が解決しようとする課題】
【０００６】
しかしながら、公知のコーヒーミル１０１Ｂにおいては、コーヒー微粉末の重量がコーヒー豆やコーヒー粉末と比較して軽すぎるため、コーヒー豆の破砕力により飛ばされるはずのコーヒー微粉末がフィルタ１０４を透過せずにフィルタ１０４の内部に残留してしまうという問題があった。また、コーヒー豆が適切な粒径にまで小さく破砕されない場合、フィルタ１０４の内部には、コーヒー微粉末だけでなく、コーヒーの味わいの観点から大きすぎる粒径のコーヒー粉末（一般的には１４メッシュを透過しないコーヒー粉末）が残留してしまうという問題があった。さらに、コーヒー微粉末がその破砕力により上昇してフィルタ１０４の上方１０４ｄから透過した場合、コーヒー微粉末が重力の影響により降下してフィルタ１０４の内部に舞い戻ってしまうという問題があった。これらの問題により、フィルタ１０４を有する公知のコーヒーミル１０１Ｂにより得られたコーヒー粉末にはコーヒー微粉末および粒径が大きすぎるコーヒー粉末が混在してしまうので、切れの良い味のコーヒーを味わうことが困難であった。
【０００７】
また、フィルタ１０４のメッシュ粗さが４０〜５０メッシュと非常に小さいので、コーヒー微粉末がフィルタ１０４のメッシュに詰まってフィルタ１０４が目詰まりを起こしてしまっていた。これにより、コーヒー微粉末がフィルタ１０４内に残留してコーヒー粉末に混在してしまうという問題があった。フィルタ１０４内にコーヒー微粉末が残留するとフィルタ１０４のメッシュや内面にこびり付いて掃除が煩雑になってしまう。
【０００８】
さらに、前述した約３０％の量のコーヒー微粉末は、コーヒー抽出に利用されることなく捨てられる。そのため、コーヒー豆の資源の無駄になるとともに、コーヒー抽出のコスト高の原因となっていた。
【０００９】
そこで、本考案はこれらの点に鑑みてなされたものであり、コーヒー豆を無駄に使用することなく切れの良い味のコーヒーを味わうことができる粒径のコーヒー粉末を得ることができるコーヒーミルを提供することを本考案の目的としている。
【課題を解決するための手段】
【００１０】
前述した目的を達成するため、本考案のコーヒーミルは、その第１の態様として、ミル本体から得た駆動力により回転してコーヒー豆を破砕するカッターと、カッターを覆う形状に形成されており、破砕されたコーヒー豆をその内部に貯蔵するミル容器と、カッターとミル容器との間に配置されているフィルタとを備えている。そして、フィルタは、カッターによって破砕されたコーヒー豆をコーヒー微粉末よりも大きな粒径でフィルタの外部へ透過させる大きさのメッシュ粗さに形成されていることを特徴としている。
【００１１】
第１の態様のコーヒーミルによれば、コーヒー微粉末よりも粒径が大きく重いコーヒー粉末（以下、「コーヒー粉末」を「破砕されたコーヒー豆」と同義語として用いる。）がフィルタから透過するので、カッターの破砕力により生じるコーヒー粉末の慣性力が大きくなってフィルタからコーヒー粉末が透過されやすくなる。そのため、フィルタのメッシュ粗さよりも小さいがそのメッシュ粗さに近い粒径のコーヒー粉末がフィルタから早期に透過される。これにより、フィルタのメッシュ粗さよりも小さな粒径のコーヒー粉末がフィルタの内部に残留してその粒径がさらに小さくなってしまうことを防止することができる。また、コーヒー微粉末がフィルタ内に残留しないのでフィルタの掃除も楽になり、コーヒー豆も無駄にせず、コーヒー抽出のコスト高も抑えることができる。
【００１２】
本考案の第２の態様のコーヒーミルは、第１の態様のコーヒーミルにおいて、フィルタは、１０〜４０のいずれか１のメッシュ粗さになっていることを特徴としている。
【００１３】
第２の態様のコーヒーミルによれば、コーヒーの味わいの観点からフィルタのメッシュ粗さが１０〜４０メッシュの間に設定されている。ここで、１０メッシュとは一般的に大きすぎる粒径と言われる１４メッシュ程度の粒径のコーヒー粉末よりも若干大きなメッシュ粗さであり、４０メッシュとはコーヒー粉末よりも小さな粒径の粉末であるコーヒー微粉末のうち最も大きい粒径のもの（５０メッシュ程度の大きさのコーヒー微粉末）よりも大きなメッシュ粗さである。そのため、１４〜５０メッシュと同等の大きさのコーヒー粉末、すなわち切れの良い味のコーヒーを味わうことができる大きさのコーヒー粉末をフィルタから透過することができる。
【００１４】
本考案の第３の態様のコーヒーミルは、第２の態様のコーヒーミルにおいて、フィルタは、１０〜２０のいずれか１のメッシュ粗さになっていることを特徴としている。
【００１５】
第３の態様のコーヒーミルによれば、フィルタのメッシュ粗さを１０〜２０メッシュにすることにより、コーヒー微粉末よりも粒径が大きく重いコーヒー粉末がフィルタから透過するため、カッターの破砕力により生じるコーヒー粉末の慣性力を利用してメッシュ粗さに近い粒径のコーヒー粉末をフィルタから早期に透過することができる。また、メッシュ粗さに近い粒径のコーヒー粉末がフィルタから早期に透過されることにより、コーヒー豆またはコーヒー粉末がフィルタの内部に残留する時間が少なくなるので、コーヒー粉末がカッターにより何度も破砕されてその粒径が小さくなり過ぎてしまうことを防止することができる。
【００１６】
本考案の第４の態様のコーヒーミルは、第３の態様のコーヒーミルにおいて、フィルタは、丸線を交差させて得た金網を用いて形成されていることを特徴としている。
【００１７】
第４の態様のコーヒーミルによれば、カッターの破砕力によりフィルタの丸線に衝突したコーヒー粉末がフィルタの丸線の表面をすべりながらフィルタを透過していくので、コーヒー粉末がフィルタから透過されやすくなる。そのため、コーヒー粉末がフィルタに衝突してフィルタの内部に舞い戻ってしまうことを防止することができる。
【００１８】
本考案の第５の態様のコーヒーミルは、第４の態様のコーヒーミルにおいて、フィルタは、矩形状に形成された金網の両辺を接合することにより、上面および下面が開口した筒状もしくはコーン状に形成されていることを特徴としている。
【００１９】
第５の態様のコーヒーミルによれば、金属をコップ状に形成してからパンチングメッシュ加工するよりもフィルタの製造コストを下げることができる。
【００２０】
本考案の第６の態様のコーヒーミルは、第５の態様のコーヒーミルにおいて、フィルタの下面側周縁はカッターの下方に配置された基台の表面に当接しており、フィルタの上面側周縁はミル容器の内面に当接していることを特徴としている。
【００２１】
第６の態様のコーヒーミルによれば、フィルタの上面および下面がミル容器および基台によって塞がれるので、破砕前のコーヒー豆がフィルタの上面または下面から排出してしまうことを防止することができる。また、舞い上がったコーヒー粉末が重力の影響によりフィルタの上方から降下してフィルタの内部に舞い戻ってしまうといったことを防止することができる。
【００２２】
本考案の第７の態様のコーヒーミルは、第６の態様のコーヒーミルにおいて、基台およびミル容器は、フィルタの下面側周縁または上面側周縁が挿入される嵌合溝を有していることを特徴としている。
【００２３】
第７の態様のコーヒーミルによれば、フィルタがずれたり、フィルタの下面側周縁または上面側周縁からコーヒー豆が排出されてしまったりすることを確実に防止することができる。
【００２４】
本考案の第８の態様のコーヒーミルは、第１から第７の態様のいずれか１の態様のコーヒーミルにおいて、カッターは、カッターの回転中心から半径方向に伸びる回転翼と、回転翼の端部側方から上方または下方に起立しておりカッターの回転方向に対面する風起板とを有していることを特徴としている。
【００２５】
第８の態様のコーヒーミルによれば、回転翼および風起板の回転によりコーヒー豆を破砕するとともに、風起板の回転により生じる半径方向への風圧により破砕したコーヒー豆をフィルタへ吹き飛ばすことができる。
【００２６】
本考案の第９の態様のコーヒーミルは、第１から第８の態様のいずれか１の態様のコーヒーミルにおいて、ミル本体は、カッターがフィルタによって覆われたことを機械的または電気的に感知してからカッターを回動させる安全装置を有していることを特徴としている。
【００２７】
第９の態様のコーヒーミルによれば、カッターが露出した状態で回動することがないので、カッターによりコーヒーミルの使用者がけがをしてしまうことを防止することができる。
【００２８】
本考案の第１０の態様のコーヒーミルは、第１から第９の態様のいずれか１の態様のコーヒーミルにおいて、ミル容器は、ミル本体、ミル本体の上方においてミル本体と別体もしくは一体に形成された基台ならびに基台の上方に配置されたカッターおよびフィルタを基本ユニットとして、コップ状、ボウル状、筒に蓋を被せた形状その他の基本ユニットの全体を覆う形状に形成されていることを特徴としている。
【００２９】
第１０の態様のコーヒーミルによれば、ミル容器の大きさを大きくすることができるので、ミル容器とフィルタとの間が狭くてコーヒー粉末が詰まってしまうことを防止することができる。
【００３０】
本考案の第１１の態様のコーヒーミルは、第１０の態様のコーヒーミルにおいて、基本ユニットを上方に付勢してフィルタの上面側周縁をミル容器の内面に密着させる付勢部材を備えていることを特徴としている。
【００３１】
第１１の態様のコーヒーミルによれば、付勢部材が基本ユニットを上方に付勢してミル容器と基本ユニットとの隙間を埋めることができる。
【００３２】
本考案の第１２の態様のコーヒーミルは、第１１の態様のコーヒーミルにおいて、付勢部材は、基本ユニットを上方に付勢する弾性面と、弾性面を支持する支持部とを有していることを特徴としている。
【００３３】
第１２の態様のコーヒーミルによれば、付勢部材を簡易な機構にすることができる。
【００３４】
本考案の第１３の態様のコーヒーミルは、第１２の態様のコーヒーミルにおいて、付勢部材の弾性面は金網を用いて形成されており、付勢部材の支持部は弾性面の対向方向が開口されていることによりコーヒー粉末が通過する形状に形成されていることを特徴としている。
【００３５】
第１３の態様のコーヒーミルによれば、弾性面に落下したコーヒー粉末が弾性面および支持部を通過するので、コーヒー粉末が付勢部材に堆積してしまうことを防止することができる。
【００３６】
本考案の第１４の態様のコーヒーミルは、第１０から第１３の態様のいずれか１の態様のコーヒーミルにおいて、ミル容器の端面側に形成された開口部よりも大きく形成されているとともに開口部の周縁に当接しており、ミル容器の内部に基本ユニットを内蔵してミル容器を塞ぐ皿部材を備えていることを特徴としている。
【００３７】
第１４の態様のコーヒーミルによれば、フィルタを透過してミル容器の内部に貯蔵されたコーヒー粉末が皿部材の表面に堆積するので、ミル容器の内部に貯蔵されたコーヒー粉末を容易に集めることができる。
【００３８】
本考案の第１５の態様のコーヒーミルは、第１４の態様のコーヒーミルにおいて、皿部材は、ミル容器を塞いだまま破砕されたコーヒー豆を取り出す取出孔と、取出孔の開閉を自在にする開閉蓋とを有していることを特徴としている。
【００３９】
第１５の態様のコーヒーミルによれば、ミル容器に皿部材を取付けたままコーヒー粉末を取り出すことができるので、ミル容器から皿部材を取り外したときにコーヒー粉末が誤って散乱してしまうことを防止することができる。
【００４０】
本考案の第１６の態様のコーヒーミルは、第１から第９の態様のいずれか１の態様のコーヒーミルにおいて、ミル容器は、その開口部の周縁をカッターの下方に配置された基台に螺合、嵌合または載置させて基台に取付けられているとともに、開口部の直径よりも大きく膨張している膨張部を有して形成されていることを特徴としている。
【００４１】
第１６の態様のコーヒーミルによれば、膨張部の形成によりミル容器とフィルタとの間隔を拡大することができるので、ミル容器とフィルタとの間が狭くてコーヒー粉末が詰まってしまうことを防止することができる。
【００４２】
本考案の第１７の態様のコーヒーミルは、第１０の態様のコーヒーミルにおいて、ミル容器の膨張部は、カッターの回転中心を中心としてカッターの半径方向に膨張して形成されていることを特徴としている。
【００４３】
第１７の態様のコーヒーミルによれば、フィルタを透過したコーヒー粉末はカッターの回転中心から放射線状に排出されることを利用して膨張部を配置しているので、ミル容器とフィルタとの間が狭くてコーヒー粉末が詰まってしまうことを効果的に防止することができる。
【考案の効果】
【００４４】
本考案のコーヒーミルによれば、４０〜５０メッシュ以下の粒径となるコーヒー微粉末の発生を抑制することができるので、切れの良い味のコーヒーを味わうことができる粒径のコーヒー粉末を得ることができるという効果を奏する。
【００４５】
また、本考案のコーヒーミルによれば、コーヒー微粉末の発生を抑制することができるので、コーヒー豆を無駄に使用することもなくなり、コーヒー微粉末の量を抑制した分だけコーヒー抽出のコスト高をおさえることができるという効果も奏する。
【００４６】
さらに、本考案のコーヒーミルによれば、コーヒー微粉末がフィルタ内に残留しないので、フィルタの掃除が楽になるという効果を奏する。
【００４７】
そして、本考案のコーヒーミルによれば、フィルタから透過したコーヒー粉末がフィルタとミル容器との間において詰まることがないので、フィルタを透過することができないコーヒー豆またはコーヒー粉末が熱せられてコーヒー豆またはコーヒー粉末が劣化してしまうことを防止することができるという効果を奏する。
【考案を実施するための最良の形態】
【００４８】
以下、図を用いて、本考案のコーヒーミル１をその３つの実施形態により説明する。
【００４９】
はじめに、図１から図３を用いて、第１の実施形態のコーヒーミルを説明する。ここで、図１は第１の実施形態のコーヒーミル１の分解斜視図を示しており、図１は第１の実施形態のコーヒーミル１の縦断面図を示している。また、図３Ａ〜Ｃは、第１の実施形態のコーヒーミル１に備わるフィルタ４を示す斜視図である。なお、図３Ａ〜Ｃにおいてはフィルタ４のメッシュ粗さの変化を誇張して示している。
【００５０】
第１の実施形態のコーヒーミル１は、図１および図２に示すように、ミル本体２、基台３、カッター９、フィルタ４、ミル容器５および安全装置（図示せず）を備えている。
【００５１】
ミル本体２は、図１および図２に示すように、中空円柱状もしくは中空切頭円錐状の筐体２ａの内部にモータ（駆動源）６および制御部（図示せず）を内蔵している。また、図１に示すように、ミル本体２の筐体２ａの側面には、モータ６をオン／オフするスイッチ２ｃおよびモータ６に駆動電圧を供給する電源コード２ｄが配設されている。
【００５２】
モータ６は、図２に示すように、その回転軸６ａが上方に延在するように縦に配設されており、その回転軸６ａの上端部６ｂがミル本体２の筐体２ａの上面２ｂから露出している。モータ６の回転軸６ａの上端部６ｂには、円筒状の金属シェルおよびその側方から外側に延在する複数の丸棒状のキー７ａを有するバイオネット（もしくはバイヨネット）・カップリング・コネクタ（以下、単に「バイオネット」という。）のレセプタクル（係合部材）７が取り付けられている。また、このレセプタクル７の内部にはミル本体２の制御部と電気的に接続された接続端子７ｂが形成されている。
【００５３】
基台３は、図１および図２に示すように、背の低い上げ底略円柱状の筐体３ａを有している。この基台３の筐体３ａの上面３ｂには、円環状の嵌合溝３ｇが形成されている。嵌合溝３ｇは、円形状のフィルタ４の下面側周縁４ａと同等の大きさに形成されており、その内部にはフィルタ４と電気的に接続する２個の検査電極（図示せず）が形成されている。これら２個の検査電極は基台３の上面３ｂもしくは内部に形成された導体（図示せず）およびカッター９の回転軸９ｃを介してミル本体２の制御部に電気的に接続されている。
【００５４】
また、この基台３の筐体３ａの上面３ｂには、コーヒー豆（図示せず）を破砕するプロペラ状のカッター９が回動自在に取付けられている。第１の実施形態において、このカッター９は回転翼９ａおよび風起板９ｂを有している。回転翼９ａは、カッター９の回転中心から半径方向に平板状に伸びており、半径方向の途中で下方にクランク状に折れ曲がって形成されている。この回転翼９ａは、カッター９の回転中心から対向方向に２本形成されている。風起板９ｂは、２本の回転翼９ａの端部側方からそれぞれ起立しており、カッター９の回転方向に対面して形成されている。２個の風起板９ｂは、カッター９の回転中心を通って対向方向に配置されている。
【００５５】
カッター９の回転軸９ｃは、図２に示すように、カッター９の中央から筐体３ａの上面３ｂを貫通して下方に延在しており、筐体３ａの下面３ｃから回転軸９ｃの下端部９ｄが露出するように取付けられている。そして、この回転軸９ｃの下端部９ｄには、バイオネットのプラグ（係合部材）８が取付けられている。このプラグ８は、モータ６の回転軸６ａに取付けられたレセプタクル７のキー７ａに係合する係合溝（図示せず）が形成されており、基台３がミル本体２に取付けられる際、プラグ８をレセプタクル７に挿入して１／８回転させるとプラグ８とレセプタクル７とが係合するように形成されている。
【００５６】
また、プラグ８の内部には、レセプタクル７の接続端子７ｂに接続される接続端子８ａが設けられている。これら接続端子７ｂ、８ａが接続されることにより、ミル本体２の制御部（図示せず）はプラグ８とレセプタクル７との係合を電気的に感知することができるようになっている。
【００５７】
また、基台３の筐体３ａは、ミル本体２およびミル容器５を連結させるため、その上面３ｂおよび下面３ｃの周縁からそれぞれ起立する上方側壁部３ｄおよび下方側壁部３ｅを有している。上方側壁部３ｄの内側面にはミル容器５の開口部５ａの周縁に形成された雄ねじ５ｍに螺合する雌ねじ３ｆが形成されている。また、下方側壁部３ｅの内径はミル本体２に係る筐体２ａの上面２ｂの外径と同等になっている。この筐体３ａの下面３ｃがモータ６の回転軸６ａの上端部６ｂを覆うように基台３の下方側壁部３ｅをミル本体２の筐体２ａの上方に嵌合することにより、この基台３はミル本体２に取付けられる。
【００５８】
フィルタ４は、図１および図２に示すように、１０〜４０メッシュのメッシュ粗さを有する矩形状の金属メッシュを円筒状に湾曲させてその両辺４ｃを接合することにより、上面および下面が開口した円筒状に形成されている。金属メッシュとしては、複数の金属線を交差させることにより網目状に形成されている金網であることが好ましい。また、金属メッシュに用いる金属線としては、コーヒー粉末を透過させ易い丸線がより好ましい。そして、このフィルタ４は、下面側周縁４ａを基台３の嵌合溝３ｇに嵌合させることにより、カッター９を覆うように基台３に載置されている。
【００５９】
また、第１の実施形態においては、図３Ａ〜Ｃに示すような１０〜２０メッシュ（図３Ａ）、２０〜３０メッシュ（図３Ｂ）、３０〜４０メッシュ（図３Ｃ）のように、１０〜４０メッシュの範囲内においてメッシュ粗さの異なるフィルタ４が３種類用意されており、所望するコーヒー粉末の粒径にあわせてフィルタ４を選択することができるようになっている。後述する実施例において詳細に説明するが、フィルタ４のメッシュ粗さが粗いほどコーヒー粉末に占めるコーヒー微粉末の割合が少なくなるため、コーヒー微粉末の割合を減らしたい場合、図３Ａに示すような１０〜２０メッシュ程度の粗いメッシュのフィルタ４を選択することが好ましい。
【００６０】
ミル容器５は、図１に示すように、フィルタ４の直径よりも大きな直径を有する円筒容器状に形成されている。コーヒー豆の破砕が終了したか否かを確認するため、ミル容器５は透明ガラスや透明プラスティックなどの透明材料を用いて形成されていることが好ましい。また、このミル容器５は、フィルタ４を透過したコーヒー粉末を貯蔵するために、ミル容器５の雄ねじ５ｍを基台３の雌ねじ３ｆに螺合することにより、フィルタ４を覆うように基台３に取付けられている。
【００６１】
ミル容器５の高さは、フィルタ４およびミル容器５を基台３に取付けたときにフィルタ４の上面側周縁４ｂがミル容器５の内部上面５ｂと当接する程度に形成されている。ここで、ミル容器５の内部上面５ｂには、図１および図２に示すように、円環状の嵌合溝５ｃが形成されていることが好ましい。この嵌合溝５ｃはフィルタ４の円形状の上面側周縁４ｂと同程度の大きさに形成されており、フィルタ４の上面側周縁４ｂが嵌合溝５ｃに嵌合することにより、フィルタ４がミル容器５および基台３からずれることなくそれらに挟持される。
【００６２】
安全装置は、ミル本体２の筐体２ａの内部に形成されており、モータ６、スイッチ２ｃおよび制御部に接続されている。制御部は、基台３、バイオネットのプラグ８およびレセプタクル７（係合部材）ならびにフィルタ４がミル本体２の制御部に電気的に接続したことを感知すると、安全装置に許可信号を送信するように形成されている。そして、安全装置は、制御部からの許可信号およびスイッチ２ｃからの駆動信号を受信するとモータ６を回動させるように形成されている。
【００６３】
次に、図１から図３を用いて、第１の実施形態のコーヒーミル１の作用を説明する。
【００６４】
第１の実施形態のコーヒーミル１は、図１および図２に示すように、ミル本体２にモータ６、図示しない制御部および安全装置を内蔵している。ミル本体２に基台３が載置されると、バイオネットのプラグ８の接続端子８ａおよびレセプタクル７の接続端子７ｂが接続するので、制御部がモータ６の回転軸６ａを介してプラグ８とレセプタクル７との係合を感知する。また、基台３の嵌合溝３ｇに形成された検査電極にフィルタ４が接触すると、金属製のフィルタ４を介して２個の検査電極が導通するので、制御部はモータ６の回転軸６ａならびにバイオネットのプラグ８およびレセプタクル７を介して基台３にフィルタ４が取付けられたことを感知する。そして、制御部が前述した係合および取付を感知すると、安全装置に許可信号が送信される。この許可信号とスイッチ２ｃからの駆動信号を安全装置が受信しないと、モータ６は回動しない。
【００６５】
このように、第１の実施形態のコーヒーミル１においては、フィルタ４が取付けられてからでないとモータ６が回動しないため、フィルタ４が取付けられずにカッター９が露出した状態で回転することがない。これにより、露出したカッター９が回転してコーヒーミル１の使用者がけがをしてしまうことを防止することができる。
【００６６】
安全装置を解除し、スイッチ２ｃをオンにしてモータ６を駆動させると、モータ６の駆動力が図２に示すレセプタクル７およびプラグ８を介してカッター９に伝達され、カッター９が回動する。そして、フィルタ４の内部にコーヒー豆が貯蔵されている場合、カッター９が回動することにより、コーヒー豆がカッター９によって破砕されてコーヒー粉末となる。
【００６７】
ここで、フィルタ４は１０〜４０メッシュのメッシュ粗さから選択される。一般にコーヒー粉末は１４メッシュを透過する小さな粒径になったときに切れの良い味のコーヒーを味わうことができる。その観点からするとフィルタ４のメッシュ粗さが１０メッシュの際には大きすぎるとも思えるが、実際には金属メッシュのメッシュ粗さと同等の大きさの粒径のコーヒー粉末が透過することはほとんどなく、それ以下の粒径のコーヒー粉末が透過される。そのため、例えば金属メッシュのメッシュ粗さが１０メッシュであれば、コーヒー粉末の粒径は１４メッシュ以下の粒径になりやすい。そして、コーヒー粉末の粒径が小さくなるほどフィルタ４のメッシュ粗さと同等の粒径になりやすい。つまり、コーヒー粉末が１４メッシュよりも小さな粒径になると、コーヒー粉末がさらに細かく破砕されてコーヒー微粉末（４０メッシュ以下のメッシュ粗さを通過するコーヒー粉末）になる前にコーヒー粉末がフィルタ４を透過する。
【００６８】
第１の実施形態のコーヒーミル１においては、公知のコーヒーミル１０１Ｂとは異なり（図１１参照）、メッシュ粗さを粗くしてコーヒーを味わうために必要なコーヒー粉末を透過させるので、コーヒー粉末の慣性力を利用してコーヒー微粉末よりも粒径が大きく重いコーヒー粉末がフィルタ４から透過されやすくなる。例えば、メッシュ粗さが２倍（例えば４０メッシュから２０メッシュ）に粗くなれば、１つのメッシュの面積は２倍になるため、メッシュの１辺は√２倍となる。そして、コーヒー粉末は立体であるため、メッシュ１辺が√２倍になれば２√２倍の体積のコーヒー粉末がフィルタ４を透過することになる。そのため、メッシュ粗さが２倍に粗くなればコーヒー粉末は最大２√２倍の慣性力（Ｆ＝ｍａ）を得ることができる。カッター９の破砕力により生じるコーヒー粉末の慣性力が大きくなると、フィルタ４を透過せずにフィルタ４の内部に舞い戻ってくるコーヒー粉末が少なくなるため、フィルタ４から１４〜４０メッシュ程度と同程度の粒径のコーヒー粉末を透過することができる。
【００６９】
つまり、コーヒー粉末の粒径が大きくなるとコーヒー粉末がフィルタ４を透過させるのに十分な慣性力を得ることができるので、フィルタ４のメッシュ粗さよりも小さいがそのメッシュ粗さに近い粒径のコーヒー粉末をフィルタ４から早期にフィルタ４の外部へ透過させることができる。そのため、フィルタ４のメッシュ粗さよりも小さな粒径のコーヒー粉末がフィルタ４の内部に残留することを抑制することができるので、コーヒー粉末がフィルタ４の内部に残留してその粒径がさらに小さくなってしまうことを防止することができる。
【００７０】
さらに、第１の実施形態のフィルタ４においては、金属線を交差させた金網を金属メッシュとして用いているので、金属板に円形穴や矩形穴が設けられたパンチングメッシュなど、金網以外の金属メッシュ（図示せず）と比較してコーヒー粉末がフィルタ４から透過されやすくなる。そのため、コーヒー粉末がフィルタ４に衝突してフィルタ４の内部に舞い戻ってしまうことも防止することができる。この金属線が丸線である場合、角線と比較して、コーヒー粉末が金属線の表面を滑ってフィルタ４を透過しやすくなるため、金属メッシュのメッシュ粗さに近いコーヒー粉末を得ることができる。
【００７１】
金網を金属メッシュとして用いたフィルタ４は、図３に示すように、矩形状の金属メッシュを湾曲させてその両辺４ｃを接合している。そのため、図４に示すように、円筒状の金属メッシュの上面に蓋を溶接してフィルタ４を円筒容器状に形成するよりもフィルタ４の製造コストを下げることができる。また、円筒状のフィルタ４のままではコーヒー粉末が所望の粒径まで小さくなる前に開放された上面から透過してしまうが、第１の実施形態においては、図２に示すように、ミル容器５の内部上面５ｂにフィルタ４の上面側周縁４ｂを当接させているので、フィルタ４の上面からコーヒー粉末が透過することはない。そのうえ、フィルタ４を基台３に載置してからフィルタ４の内部にコーヒー豆を供給することができるので、フィルタ４の内部にコーヒー豆を供給した後にフィルタ４を基台３に載置するよりもコーヒー豆を容易に供給することができる。
【００７２】
さらに、このフィルタ４の下面側周縁４ａおよび上面側周縁４ｂは、基台３の嵌合溝３ｇおよびミル容器５の嵌合溝５ｃに嵌合して固定されているので、鍔などの支持部をフィルタ４に形成せずともフィルタ４を基台３およびミル容器５に確実に固定することができる。これにより、フィルタ４の製造コストを低廉にすることができる。
【００７３】
そして、フィルタ４の側面から透過したコーヒー粉末はフィルタ４を覆うミル容器５内に貯蔵される。ミル容器５内に貯蔵されたコーヒー粉末の粒径はフィルタ４のメッシュ粗さ（１０〜４０メッシュ）よりも若干小さめの大きさ（１４〜５０メッシュ）になるため、第１の実施形態のコーヒーミル１を用いることにより、切れの良い味のコーヒーを味わうことができる。
【００７４】
特に、第１の実施形態のコーヒーミル１においては、図３Ａに示すように、フィルタ４のメッシュ粗さを１０〜２０メッシュ程度に設定しているので、コーヒーの良好な味わいの観点から最も大きな粒径と一般に言われる１４〜２５メッシュと同程度の大きさの粒径のコーヒー粉末を得ることができる。前述したとおり、コーヒー粉末の粒径が大きくなれば、その重量が重くなり、それに比例して慣性力が大きくなるため、コーヒー粉末がフィルタ４に残留せずに透過されやすくなる。そのため、メッシュ粗さと同等の粒径のコーヒー粉末を得やすくなるので、コーヒー微粉末の発生を最も効率良く抑制することができる。
【００７５】
また、基台３に取付けられたカッター９は回転翼９ａおよび風起板９ｂを有している。これら回転翼９ａおよび風起板９ｂの回転により、フィルタ４の内部にあるコーヒー豆が破砕されるとともに、風起板９ｂの回転により生じる半径方向への風圧により破砕したコーヒー豆をフィルタ４へ吹き飛ばしたり、直接押し出したりすることができるので、コーヒー粉末を強制的にフィルタ４に透過することができる。
【００７６】
すなわち、第１の実施形態のコーヒーミル１によれば、４０〜５０メッシュ以下の粒径となるコーヒー微粉末の発生を抑制することができるので、切れの良い味のコーヒーを味わうことができる粒径のコーヒー粉末を得ることができるという効果を奏する。また、コーヒー微粉末の発生を抑制すれば、コーヒー豆を無駄に使用することもなくなり、コーヒー微粉末の量を抑制した分だけコーヒー粉末を有効利用することができるという効果も奏する。さらには、コーヒーミル１の内部に付着するコーヒー微粉末の量を低減させることができるので、コーヒーミル１の内部の清掃作業が楽になるという効果も奏する。
【００７７】
なお、本考案は、前述した実施形態などに限定されるものではなく、必要に応じて種々の変更が可能である。
【００７８】
例えば、第１の実施形態のフィルタ４は円筒状に形成されているが、他の実施形態においては、図４および図５に示すように、側面が傾斜した円筒容器状に形成されていてもよい。その際、フィルタ４の上面４ｄは金属蓋により遮蔽されていることが好ましい。また、フィルタ４に鍔を形成すれば、フィルタ４の上面側周縁４ｂをミル容器５に当接させる必要はない。
【００７９】
また、図５に示すように、バイオネットのプラグ８およびレセプタクル７は、円板の上面から複数の平板状の係合部７Ａｂ、８Ａｂが放射線状に起立した２個の係合部材７Ａ、８Ａを代わりに用いても良い。その際、係合部材の係合部がそれぞれ係合するように２個の係合部材７Ａ、８Ａを対向させて使用する。
【００８０】
次に、第２の実施形態のコーヒーミル１Ａを説明する。
【００８１】
第２の実施形態のコーヒーミル１Ａは、図６および図７に示すように、ミル本体２Ａ、基台３Ａ、カッター９、フィルタ４およびミル容器５Ａの他に、付勢部材１１および皿部材１４を備えている。第１の実施形態と比較して大きく異なる点は、ミル本体２Ａと基台３Ａとの一体化、ミル容器５Ａの大きさならびに付勢部材１１および皿部材１４の配置である。それらの変更点を詳細に説明する。なお、特に言及しない点については第１の実施形態のコーヒーミル１と同様である。
【００８２】
第２の実施形態のミル本体２Ａは、基台３Ａと一体に形成されている。第２の実施形態においてはミル本体２Ａから基台３Ａを分離することができず、図１および図２に示すように、カッター９の回転軸９ｃとモータ６の回転軸６ａとを分離させる機会がない。このことから、第２の実施形態においては、図示はしないが、カッター９の回転軸９ｃとモータ６の回転軸６ａとを係合させる係合部材７、８がミル本体２Ａの内部に配置されておらず、カッター９の回転軸９ｃおよびモータ６の回転軸６ａが一体に形成されている（図１参照）。
【００８３】
ミル容器５Ａは、ミル本体２Ａ、基台３Ａ、カッター９およびフィルタ４を基本ユニット１０として、基本ユニット１０の全体を覆うように形成されている。このミル容器５Ａは、図６に示すような上面５１ａと下面５１ｂが開口した筒部５１と筒部５１の上面５１ａを覆うように配置された蓋部５２とを別個に形成して基本ユニット１０を覆うような形状に形成されていても良いし、図示はしないがコップ形状やボウル形状など筒部５１と蓋部５２とを一体に形成して基本ユニット１０を覆うような形状に形成されていても良い。
【００８４】
このミル容器５Ａの筒部５１は内部に配置される基本ユニット１０の幅よりも大きな直径を有している。その材質は内部が確認できる透明なガラスやプラスティックが好ましいが、不透明な金属であっても良い。この筒部５１の高さは、基本ユニット１０の高さよりも小さな値になっており、図７に示すように基本ユニット１０を筒部５１の内部に配置した際に筒部５１の上面５１ａからフィルタ４が突出するようになっている。また、この筒部５１の側面下端には切り欠き部が設けられた弾性ゴム５１ｄが充填された矩形状の穴部５１ｃが設けられており、弾性ゴム５１ｄの切り欠き部から電源コード２ｄが引き回されている。
【００８５】
ミル容器５Ａの蓋部５２は、図６および図７に示すように、筒部５１の上面５１ａよりも大きな円形皿状に形成されており、フィルタ４の上面側周縁４ｂが当接する位置に円形状の嵌合溝５ｃが形成されている。その材質は筒部５１の内部が確認できる透明なガラスやプラスティックが好ましいが、不透明な金属であっても良い。
【００８６】
付勢部材１１は、基本ユニット１０を上方に付勢してフィルタ４の上面側周縁４ｂをミル容器５Ａの内面に密着させるように形成されている。この付勢部材１１としては、様々な形態が存在する。例えば、この付勢部材１１の形態としては、図示はしないが、ミル本体２Ａの下方（図７を参照）から上方に付勢するコイルばねや弾性ゴムなどの弾性部材が挙げられる。第２の実施形態の付勢部材１１は、図６および図７に示すように、ミル本体２Ａの下方から基本ユニット１０を上方に付勢する弾性面１２と、弾性面１２を支持する支持部１３とを有している。この付勢部材１１の弾性面１２は、弾性ゴム膜などの面状弾性部材であれば良いが、第２の実施形態においてはコーヒー粉末Ｃが通過しやすい金網を用いて形成されている。また、この付勢部材１１の支持部１３は、筒形状またはやぐら形状など、弾性面１２の対向方向（対向面）が開口されていることによりコーヒー粉末Ｃが通過する形状に形成されている。
【００８７】
皿部材１４は、図６および図７に示すように、ミル容器５Ａの下面（下端面側に形成された開口部）５１ｂよりも大きな円形に形成されている。この皿部材１４は、筒部５１の下面５１ｂの周縁に当接しており、ミル容器５Ａの内部に基本ユニット１０を内蔵してミル容器５Ａを塞ぐように配置されている。
【００８８】
また、第２の実施形態の皿部材１４には、図８に示すように、取出孔１５および開閉蓋１６が形成されている。取出孔１５は、筒部５１の下面５１ｂと同等またはそれよりも小さな円形状に形成されている。また、開閉蓋１６は、取出孔１５と同等の大きさの円形に形成されており、その取出孔１５を下方から開閉自在に塞いでいる。この開閉蓋１６を開くことによりコーヒー粉末Ｃが取り出されるが、そのままでは開閉蓋１６の開閉時にミル容器５Ａから基本ユニット１０も落下してしまうため、取出孔１５に固定された金網が基本ユニット１０を支えている。
【００８９】
次に、第２の実施形態のコーヒーミル１Ａの作用を説明する。
【００９０】
第２の実施形態のコーヒーミル１Ａのミル容器５Ａは、図６および図７に示すように、基本ユニット１０の全体を覆うほど大きな形状に形成されている。従来のコーヒーミル１０１Ｂ（図１１参照）は不要なコーヒー微粉末をフィルタ４から透過させてミル容器５Ａに貯蔵していた。そのため、フィルタ４の内部に貯蔵されるコーヒー粉末Ｃと比較してコーヒー微粉末の量は少なく、ミル容器５Ａの大きさを大きくする必要がなかった。
【００９１】
しかし、第２の実施形態のコーヒーミル１Ａは使用するコーヒー粉末Ｃをフィルタ４から透過させてミル容器５Ａに貯蔵するため、ミル容器５Ａとフィルタ４との間が狭いとコーヒー粉末Ｃがミル容器５Ａとフィルタ４との間を埋めて詰まってしまう。すると、フィルタ４の内部にコーヒー粉末Ｃが蓄積してコーヒー豆を破砕することができないばかりか、カッター９からの駆動熱がコーヒー粉末Ｃに伝わってコーヒー粉末Ｃの品質を劣化させてしまう。
【００９２】
そのため、第２の実施形態のコーヒーミル１Ａのミル容器５Ａは、図２に示すように基台３Ａの上にミル容器５Ａを取付するのではなく、図７に示すように基本ユニット１０の全体を覆うようにミル容器５Ａを形成している。これにより、ミル容器５Ａを大きく形成することができるので、ミル容器５Ａとフィルタ４との間を広くすることができる。そのため、ミル容器５Ａとフィルタ４との間が狭くてコーヒー粉末Ｃが詰まってしまうことを防止することができる。
【００９３】
また、第２の実施形態のコーヒーミル１Ａは、図６および図７に示すように、基本ユニット１０を上方に付勢してフィルタ４の上面側周縁４ｂをミル容器５Ａの内面に密着させる付勢部材１１を備えている。この付勢部材１１がなければミル容器５Ａの高さを正確に設定してミル容器５Ａとフィルタ４との隙間を埋めなければならない。第２の実施形態のコーヒーミル１Ａは付勢部材１１を備えているので、付勢部材１１が基本ユニット１０を上方に付勢し、ミル容器５Ａと基本ユニット１０との隙間を容易に埋めることができる。
【００９４】
この付勢部材１１は、図６および図７に示すような弾性面１２および支持部１３により形成されている。弾性面１２は金網であり、支持部１３は筒状またはやぐら状などの弾性面１２を支持するように形成されているので、付勢部材１１を簡易な機構にすることができる。付勢部材１１が簡単な機構になっていれば、付勢部材１１の製造コストを下げることができるので、第２の実施形態のコーヒーミル１Ａを低廉にすることができる。
【００９５】
また、付勢部材１１の弾性面１２は金網を用いて形成されており、付勢部材１１の支持部１３は弾性面１２の対向方向が開口されている。そのため、弾性面１２に落下したコーヒー粉末Ｃが弾性面１２および支持部１３を通過するので、コーヒー粉末Ｃが付勢部材１１に堆積してしまうことを防止することができる。
【００９６】
この付勢部材１１の下方には図７に示すように皿部材１４が配置されている。皿部材１４は、ミル容器５Ａの下面（端面側に形成された開口部）５１ｂよりも大きく形成されており、下面５１ｂの周縁に当接している。そのため、ミル容器５Ａを塞ぐことができるので、コーヒー粉末Ｃがミル容器５Ａから散乱することを防止することができる。また、フィルタ４を透過したコーヒー粉末Ｃが重力により落下して皿部材１４の表面に堆積するので、ミル容器５Ａの内部に貯蔵されたコーヒー粉末Ｃを容易に集めることができる。
【００９７】
さらに、この皿部材１４は、図８に示すように、取出孔１５および開閉蓋１６を有している。皿部材１４が取出孔１５および開閉蓋１６を有していない場合、皿部材１４に載置されたミル容器５Ａおよび基本ユニット１０を順に取り除かなければコーヒー粉末Ｃを取り出すことができない。しかし、皿部材１４が取出孔１５および開閉蓋１６を有している場合、開閉蓋１６を開くことにより、皿部材１４にミル容器５Ａおよび基本ユニット１０を載置したまま、すなわちミル容器５Ａを塞いだまま、取出孔１５からコーヒー粉末Ｃを取り出すことができる。また、取出孔１５からコーヒー粉末Ｃを取出し終えた後は、開閉蓋１６を閉じることにより、再度コーヒー粉末Ｃを皿部材１４に集積することができる。これにより、コーヒー粉末Ｃを容易に取り出すことができるとともに、ミル容器５Ａから皿部材１４を取り外したときにコーヒー粉末Ｃが誤って散乱してしまうことを防止することができる。
【００９８】
また、第２の実施形態のコーヒーミル１Ａは、図６および図７に示すように、ミル本体２Ａと基台３Ａとを一体に形成している。第１の実施形態のコーヒーミル１においては、図２に示すように、ミル本体２Ａと基台３Ａとを別体に形成することにより、図１に示すように基台３Ａをミル本体２Ａから分離することができるので、基台３Ａの上面の掃除を容易にしていた。しかし、第２の実施形態のコーヒーミル１Ａは、図７に示すように、コーヒー粉末Ｃをフィルタ４から透過させ、基本ユニット１０の下方にある皿部材１４にそのコーヒー粉末Ｃを集積させている。そのため、ミル本体２Ａと基台３Ａとが別体に形成されていると、その境目にコーヒー粉末Ｃが進入して掃除がかえって面倒になってしまうこともある。したがって、図７に示すように、第２の実施形態においては、ミル本体２Ａと基台３Ａとを一体に形成している。このことから、基本ユニット１０に付着したコーヒー粉末Ｃの掃除を容易にすることができる。
【００９９】
すなわち、第２の実施形態のコーヒーミル１Ａによれば、フィルタ４から透過したコーヒー粉末Ｃがフィルタ４とミル容器５Ａとの間において詰まることがない。そのため、フィルタ４を透過することができないコーヒー豆またはコーヒー粉末Ｃが熱せられてコーヒー豆またはコーヒー粉末Ｃが劣化してしまうことを防止することができるという効果を奏する。あわせて、第１の実施形態のコーヒーミル１による作用をも奏する。
【０１００】
次に、第３の実施形態のコーヒーミル１Ｂを説明する。
【０１０１】
第３の実施形態のコーヒーミル１Ｂは、図９に示すように、ミル本体２、基台３、カッター９、フィルタ４およびミル容器５Ｂを備えている。ここで、ミル本体２、基台３、カッター９およびフィルタ４は第１の実施形態と同様であるが、ミル容器５Ｂが第１の実施形態と異なるので、ミル容器５Ｂについて以下に述べる。
【０１０２】
ミル容器５Ｂは、第１の実施形態と同様、基台３に取付けられている。第３の実施形態のミル容器５Ｂは、ミル容器５Ｂの雄ねじ５ｍを基台３の雌ねじ３ｆに螺合して取付けられている（図２参照）。ただし、取外容易性を考慮すれば、ミル容器５Ｂを基台３に嵌合または載置させるなどして取付けてもよい。このミル容器５Ｂが第１の実施形態と大きく異なる点は、図９に示すように、このミル容器５Ｂに開口部５ａの直径よりも大きく膨張している膨張部５ｃｈが形成されていることにある。この膨張部５ｃｈは、カッター９の回転中心を中心としてカッター９の半径方向に膨張して形成されていることが好ましい。
【０１０３】
次に、第３の実施形態のコーヒーミル１Ｂの作用を説明する。
【０１０４】
第３の実施形態のコーヒーミル１Ｂは、図９に示すように、ミル容器５Ｂに膨張部５ｃｈが形成されている。第２の実施形態において説明した通り、ミル容器５Ｂとフィルタ４との間が狭いとコーヒー粉末Ｃが詰まってしまう。そこで、第３の実施形態においては、ミル容器５Ｂに膨張部５ｃｈを形成することにより、ミル容器５Ｂが取付けられる基台３の大きさを変えることなくミル容器５Ｂとフィルタ４との間隔を拡大することができる。そのため、ミル容器５Ｂとフィルタ４との間が狭くてコーヒー粉末Ｃが詰まってしまうことを防止することができる。
【０１０５】
また、この膨張部５ｃｈは、カッター９の回転中心を中心としてカッター９の半径方向に膨張して形成されている。図９に示すように、カッター９から得たコーヒー粉末Ｃの飛散力はカッター９の回転中心を中心としてカッター９の半径方向に印加されるため、そのコーヒー粉末Ｃはカッター９の半径方向に透過する。そこで、コーヒー粉末Ｃの飛散方向に膨張部５ｃｈを配置することにより、ミル容器５Ｂとフィルタ４との間が狭くなってコーヒー粉末Ｃが詰まってしまうことを効果的に防止することができる。
【０１０６】
すなわち、第３の実施形態のコーヒーミル１Ｂによれば、第１の実施形態において述べた効果の他に、フィルタ４から透過したコーヒー粉末Ｃがフィルタ４とミル容器５Ｂとの間において詰まることがないので、フィルタ４を透過することができないコーヒー豆またはコーヒー粉末Ｃが熱せられてコーヒー豆またはコーヒー粉末Ｃが劣化してしまうことを防止することができるという効果も奏する。
【実施例】
【０１０７】
以下、表１および図１０を用いて、本考案のコーヒーミルの一実施例を説明する。本実施例のコーヒーミルは、第１の実施形態のコーヒーミルに基づいて形成されている。
【０１０８】
【表１】
0003135377.tif 000003
【０１０９】
表１は、本実施例のコーヒーミルおよび公知のコーヒーミルにおけるフィルタのメッシュ粗さとコーヒー微粉末（４０〜５０メッシュを透過するコーヒー粉末）の発生割合との関係を表している。また、図１０は表１に係るフィルタのメッシュ粗さとコーヒー微粉末の発生割合との関係をグラフにより示している。
【０１１０】
本実施例のコーヒーミルおよび公知のコーヒーミルは、ミル本体、基台、フィルタおよびミル容器を備えている（図２および第１の実施形態を参照）。本実施例のコーヒーミルと公知のコーヒーミルとの主な相違点は、フィルタのメッシュ粗さ、金属メッシュの種類（本実施例が金網で公知例がパンチングメッシュ）および基台に取付けられたカッターの形状（本実施例が回転翼および風起板を有するカッター、公知例は回転翼のみのカッター）である。表１に示すように、本実施例のコーヒーミルに係るフィルタのメッシュ粗さとしては、１０メッシュ、１５メッシュ、２０メッシュ、２５メッシュ、３０メッシュのいずれか１つのメッシュ粗さが選択されており、フィルタを透過したコーヒー粉末をコーヒー抽出に使用する。公知のコーヒーミルに係るフィルタのメッシュ粗さとしては、４０メッシュまたは５０メッシュのどちらかのメッシュ粗さが選択されており、フィルタを透過したコーヒー微粉末を使用せず、フィルタを透過しなかったコーヒー粉末をコーヒー抽出に使用する。
【０１１１】
本実施例のコーヒーミルにおいては、表１に示すように、フィルタのメッシュ粗さが細かくなるほどコーヒー微粉末の発生割合が大きくなる傾向になった。フィルタのメッシュ粗さが１０メッシュまたは１５メッシュのときはフィルタを透過したコーヒー粉末に占めるコーヒー微粉末の発生割合が０．５％または１％程度であったが、フィルタのメッシュ粗さが３０メッシュのときはフィルタを透過したコーヒー粉末に占めるコーヒー微粉末の発生割合が１３％程度になった。
【０１１２】
一方、公知のコーヒーミルにおいては、表１に示すように、本実施例のコーヒーミルと同様、フィルタのメッシュ粗さが細かくなるほどコーヒー微粉末の発生割合が大きくなる傾向にあった。フィルタのメッシュ粗さが４０メッシュのときはフィルタを透過しないコーヒー粉末に占めるコーヒー微粉末の発生割合が２７％程度であったが、フィルタのメッシュ粗さが５０メッシュのときはフィルタを透過したコーヒー粉末に占めるコーヒー微粉末の発生割合が３３％程度になった。
【０１１３】
これらのデータを比較してみると、表１および図１０からも明らかなように、本実施例のコーヒーミルにより得られたコーヒー粉末に占めるコーヒー微粉末の発生割合は、公知のコーヒーミルにより得られたコーヒー粉末に占めるコーヒー微粉末の発生割合よりも小さくなっている。また、図１０に示すように、本実施例のコーヒーミルおよび公知のコーヒーミルにより得られたデータをプロットしてグラフに直線および破線を引くと、フィルタのメッシュ粗さが４０メッシュのときは、本実施例のコーヒーミルおよび公知のコーヒーミルに係るコーヒー微粉末の発生割合はほぼ同等になる。つまり、フィルタのメッシュ粗さを４０メッシュ以上の粗さにすれば、コーヒー微粉末の発生割合を従来よりも減らすことができることが分かる。
【０１１４】
特に、本実施例のコーヒーミルにおいては、フィルタが１０メッシュ、１５メッシュまたは２０メッシュ程度のメッシュ粗さの場合、コーヒー微粉末の発生割合は０．５％、１．２％または２．９％になっている。つまり、フィルタのメッシュ粗さを１０〜２０メッシュに設定すれば、コーヒー微粉末の発生割合を３％以下に抑えられるので、理想的なコーヒー微粉末の発生割合と言われている数％以下のコーヒー微粉末の発生割合を得られることがわかる。
【０１１５】
また、表１および図１０には現れないが、本実施例のコーヒーミルにより得られたコーヒー粉末の粒径については、１０メッシュのフィルタを用いた場合においてもコーヒーの味わいを劣化させるほど大きな粒径のコーヒー粉末（１４メッシュを透過しないコーヒー粉末）が発生することはなかった。これは、１０メッシュと同等の粒径のコーヒー粉末が１０メッシュのフィルタを透過することが難しいためと考える。それに対し、公知のコーヒーミルにより得られたコーヒー粉末の粒径については、４０メッシュまたは５０メッシュのフィルタを透過しない粒径のコーヒー粉末が発生するため、コーヒーの味わいを劣化させるほどの大きな粒径のコーヒー粉末（１４メッシュを透過しないコーヒー粉末）が発生する場合があった。
【０１１６】
すなわち、本実施例のコーヒーミルによれば、１０〜２０メッシュのフィルタを用いることにより、１４メッシュを透過しないコーヒー粉末を防ぐとともに、４０メッシュ以下の粒径となるコーヒー微粉末の発生を３％以下に抑制することができるので、切れの良い味のコーヒーを味わうことができる粒径のコーヒー粉末を得ることができるということが分かる。
【０１１７】
なお、本考案は、前述した実施例などに限定されるものではなく、必要に応じて種々の変更が可能である。
【図面の簡単な説明】
【０１１８】
【図１】第１の実施形態のコーヒーミルを示す分解斜視図
【図２】第１の実施形態のコーヒーミルを示す縦断面図
【図３】第１の実施形態のコーヒーミルに備わるフィルタをメッシュ粗さの粗いものから順にＡ〜Ｃに示す斜視図
【図４】他の実施形態のフィルタを示す斜視図
【図５】図４に示すフィルタを用いた他の実施形態のコーヒーミルを示す縦断面図
【図６】第２の実施形態のコーヒーミルを示す分解斜視図
【図７】第２の実施形態のコーヒーミルを示す縦断面図
【図８】第２の実施形態のコーヒーミルの下方を部分的に示す部分縦断面図
【図９】第３の実施形態のコーヒーミルを示す縦断面図
【図１０】表１に係るフィルタのメッシュ粗さとコーヒー微粉末の発生割合との関係を示すグラフ
【図１１】従来のコーヒーミルを示す縦断面図
【図１２】公知のコーヒーミルであってフィルタを有するものを示す縦断面図
【符号の説明】
【０１１９】
１  コーヒーミル
２  ミル本体
３  基台
４  フィルタ
５  ミル容器
６  モータ
７  レセプタクル
８  プラグ
９  カッター
【図１】
0003135377.tif 000004
【図２】
0003135377.tif 000005
【図３】
0003135377.tif 000006
【図４】
0003135377.tif 000007
【図５】
0003135377.tif 000008
【図６】
0003135377.tif 000009
【図７】
0003135377.tif 000010
【図８】
0003135377.tif 000011
【図９】
0003135377.tif 000012
【図１０】
0003135377.tif 000013
【図１１】
0003135377.tif 000014
【図１２】
0003135377.tif 000015